(57)【要約】【課題】ステアリング上に手をおいたまま手や指を動かす操作であっても、操作の満足感を得ることができる表示制御装置を提供する。【解決手段】方向検出部４が、ステアリングコラムに取り付けられたレバースイッチ３に取り付けられ、ステアリング７の外縁に沿った回転方向、レバースイッチの軸周り方向、軸方向及び前後方向のレバースイッチ３の操作方向を識別可能に検出する。表示部５が、画像を表示する。制御部６が、表示部５の表示を制御し、方向検出部４により検出されたレバースイッチ３の操作方向に応じた方向に表示部５に表示されている画像を移動させる。【選択図】図１
2014144735.tif 000002
【特許請求の範囲】
【請求項１】
ステアリングコラムに取り付けられたレバースイッチと、
前記レバースイッチの操作方向を検出する方向検出手段と、
画像を表示する表示手段と、
前記表示手段の表示を制御する表示制御手段と、を備え、
前記表示制御手段が、前記方向検出手段の検出方向に応じた方向に前記表示手段に表示されている画像を移動させる
ことを特徴とする表示制御装置。
【請求項２】
ステアリングコラムに取り付けられたレバースイッチと、
前記レバースイッチに取り付けられ、手又は指の動き方向を検出する方向検出手段と、
画像を表示する表示手段と、
前記表示手段の表示を制御する表示制御手段と、を備え、
前記表示制御手段が、前記方向検出手段の検出方向に応じた方向に前記表示手段に表示されている画像を移動させる
ことを特徴とする表示制御装置。
【請求項３】
前記方向検出手段の検出方向が、ステアリングの外縁に沿った回転方向、レバースイッチの軸周り方向、レバースイッチの軸方向又は前後方向の少なくとも１つ以上である
ことを特徴とする請求項１又は２に記載の表示制御装置。
【請求項４】
前記方向検出手段によりステアリングの外縁に沿った回転方向が検出されると、前記表示制御手段が、前記表示手段に表示されている画像のその回転方向に沿って移動させる
ことを特徴とする請求項１〜３何れか１項に記載の表示制御装置。
【請求項５】
前記方向検出手段によりステアリングの軸方向が検出されると、前記表示制御手段が、前記表示手段に表示されている画像を左右方向に沿って移動させる
ことを特徴とする請求項１〜４何れか１項に記載の表示制御装置。
【請求項６】
前記表示制御手段が、前記方向検出手段により検出方向が検出されると、前記表示手段に表示されている画像を前記検出方向に応じた方向に動かして前記表示手段から消すと共に、新しい画像を前記検出方向に応じた方向に動かして前記表示手段上に出現させることにより、画像を切り替える
ことを特徴とする請求項１〜５何れか１項に記載の表示制御装置。
【発明の詳細な説明】
【技術分野】
【０００１】
本発明は、表示制御装置に係り、特に、車両に搭載された表示部の制御を行う表示制御装置に関するものである。
【背景技術】
【０００２】
近年、自動車の中には、カー・ナビゲーションを始め、オーディオ装置、ＴＶ、ビデオ装置、携帯電話など数多くの電子機器が搭載されるようになっている。そして、これら電子機器の操作を行うために、車両のステアリング近くに複数のレバースイッチを設けることが提案されている（特許文献１〜３）。運転者は運転中、ステアリング（ハンドル）を常時手で握っていなければならない状況であるが、このレバースイッチにより、その状態から速やか、かつ、自然に操作することができる。
【０００３】
また、車の運転手が運転中に使用する（したい）機能が増加傾向にあり、その各機能を使用する際の指示（＝各スイッチ操作）に応じた、その機能の作動／停止／切替したことのフィードバック（お知らせ）を、車載ディスプレイ（メータを含む）に表示表現することは一般的である。しかしながら、現在の上記フィードバックは単純な表示表現であり、操作した感覚とフィードバックの一体感がなく、操作の満足感を得ることができない、という問題があった。
【先行技術文献】
【特許文献】
【０００４】
【特許文献１】特開平１０−２７４５４１号公報
【特許文献２】特開２００６−２０５７７１号公報
【特許文献３】特開２０１２−１３７８６６号公報
【発明の概要】
【発明が解決しようとする課題】
【０００５】
そこで、本発明は、ステアリング上に手をおいたまま手や指を動かす操作であっても、操作の満足感を得ることができる表示制御装置を提供することを課題とする。
【課題を解決するための手段】
【０００６】
上述した課題を解決するための請求項１記載の発明は、ステアリングコラムに取り付けられたレバースイッチと、前記レバースイッチの操作方向を検出する方向検出手段と、画像を表示する表示手段と、前記表示手段の表示を制御する表示制御手段と、を備え、前記表示制御手段が、前記方向検出手段の検出方向に応じた方向に前記表示手段に表示されている画像を移動させることを特徴とする表示制御装置に存する。
【０００７】
請求項２記載の発明は、ステアリングコラムに取り付けられたレバースイッチと、前記レバースイッチに取り付けられ、手又は指の動き方向を検出する方向検出手段と、画像を表示する表示手段と、前記表示手段の表示を制御する表示制御手段と、を備え、前記表示制御手段が、前記方向検出手段の検出方向に応じた方向に前記表示手段に表示されている画像を移動させることを特徴とする表示制御装置に存する。
【０００８】
請求項３記載の発明は、前記方向検出手段の検出方向が、ステアリングの外縁に沿った回転方向、レバースイッチの軸周り方向、レバースイッチの軸方向又は前後方向の少なくとも１つ以上であることを特徴とする請求項１又は２に記載の表示制御装置に存する。
【０００９】
請求項４記載の発明は、前記方向検出手段によりステアリングの外縁に沿った回転方向が検出されると、前記表示制御手段が、前記表示手段に表示されている画像のその回転方向に沿って移動させることを特徴とする請求項１〜３何れか１項に記載の表示制御装置に存する。
【００１０】
請求項５記載の発明は、前記方向検出手段によりステアリングの軸方向が検出されると、前記表示制御手段が、前記表示手段に表示されている画像を左右方向に沿って移動させることを特徴とする請求項１〜４何れか１項に記載の表示制御装置に存する。
【００１１】
請求項６記載の発明は、前記表示制御手段が、前記方向検出手段により検出方向が検出されると、前記表示手段に表示されている画像を前記検出方向に応じた方向に動かして前記表示手段から消すと共に、新しい画像を前記検出方向に応じた方向に動かして前記表示手段上に出現させることにより、画像を切り替えることを特徴とする請求項１〜５何れか１項に記載の表示制御装置に存する。
【発明の効果】
【００１２】
以上説明したように請求項１及び２記載の発明によれば、表示制御手段が、方向検出手段の検出方向に応じた方向に表示手段に表示されている画像を移動させるので、ステアリング上に手をおいたまま手や指を動かす動作であっても、操作した感覚（動作）とフィードバック（画像の移動）との一体感を生み出し、操作の満足感を得ることができる。
【００１３】
請求項３〜６記載の発明によれば、より一層、操作した感覚（動作）とフィードバック（画像の移動）との一体感を生み出し、操作の満足感を得ることができる。
【図面の簡単な説明】
【００１４】
【図１】本発明の表示制御装置の一実施形態を示す図である。
【図２】図１に示すステアリング周辺の側面図である。
【図３】図１に示すレバースイッチの拡大図である。
【図４】レバースイッチと指の動きとの関係を示す図である。
【図５】レバースイッチと指の動きとの関係を示す図である。
【図６】図１に示す制御部の処理手順を示すフローチャートである。
【図７】図１に示す表示部及び表示部に表示される画像の一例を示す図である。
【図８】図１に示す表示部及び表示部に表示される画像の一例を示す図である。
【図９】図１に示す表示部及び表示部に表示される画像の一例を示す図である。
【図１０】図１に示す表示部及び表示部に表示される画像の一例を示す図である。
【発明を実施するための形態】
【００１５】
以下、本発明の表示制御装置の一実施形態を図１及び図２に基づいて説明する。同図に示すように、表示制御装置１は、ステアリングコラム２に取り付けられたレバースイッチ３と、レバースイッチ３に取り付けられ、レバースイッチ３の操作方向を検出する方向検出手段としての方向検出部４と、画像を表示する表示手段としての表示部５と、この表示部５の表示を制御する表示制御手段としての制御部６と、を備えている。
【００１６】
上記レバースイッチ３は、ステアリング７の回転軸となるステアリングコラム２の側面から左右に突出して設けられている。
【００１７】
このレバースイッチ３は、図３に示すように、基部３１と、一端が基部３１に取り付けられたレバー本体３２と、を備えている。このレバースイッチ３は、一般的に、基部３１を支点としてレバー本体３２をステアリング７の外縁に沿った回転方向Ｙ１又は前後方向Ｙ４（図５）に倒す操作や、レバー本体３２に取り付けたノブ３２Ａをレバースイッチ３の軸周り方向Ｙ２に回転させる操作や、レバー本体３２の先端に設けたボタン３２Ｂをレバースイッチ３の軸方向Ｙ３に押す操作が行えるようになっている。なお、図３及び図５は、ステアリングコラム２の右側面から突出したレバースイッチ３を図示しているが、ステアリングコラムの左側面から突出したレバースイッチ３も左右が反転しているだけで、同様の構成になっている。
【００１８】
上述したレバースイッチ３の先端は、図４に示すように、ステアリング７の外周近傍に設けられている。このため、ステアリング７に手を置いた状態のままレバースイッチ３の先端を操作することができる。これにより、ステアリング７を握っているときとほぼ同じ状態でレバースイッチ３を操作することができる。
【００１９】
上記方向検出部４は、例えば上記レバースイッチ３の操作に応じてオンオフする検出スイッチから構成され、レバースイッチ３に設けられている。上記方向検出部４は、上述したレバースイッチ３の回転方向Ｙ１、軸周り方向Ｙ２、軸方向Ｙ３（図４参照）及び前後方向Ｙ４（図５参照）の操作を識別可能に検出する。
【００２０】
上記表示部５は、例えば液晶表示部などのディスプレイで構成されている。また、表示部５は、車両のコンソールパネルや、図８に示すように車両のインストルメントパネルに設けられたコンビネーションメータ８内などに設けられ、車両の各種情報が表示されている。
【００２１】
制御部６は、例えばマイクロコンピュータから構成され、上記表示部５や図示しないエアコン装置、ナビゲーション装置などの電子機器に接続されて、これら表示部５の表示制御や、電子機器の制御を行う。制御部６は、方向検出部４の検出方向に応じて表示部５の表示を制御する。
【００２２】
次に、上述した表示制御装置１の動作について、図６を参照して説明する。まず、制御部６は、イグニッションスイッチのオンに応じて動作を開始し、方向検出部４によりレバースイッチ３の操作が検出されたか否かを判定する（ステップＳ１）。制御部６は、操作が検出されたと判定すると（ステップＳ１でＹ）、その検出方向（＝操作方向）がステアリング７の外縁に沿った回転方向Ｙ１であれば（ステップＳ２でＹ）、表示部５に表示されている画像を回転方向Ｙ１に沿って移動させた後（ステップＳ３）、ステップＳ１に戻る。
【００２３】
このステップＳ３での制御部６の動作の一例について、図７を参照して説明する。同図に示すように、例えば表示部５にメニュー画像Ａが表示されていたとする。このとき、運転者がステアリング７の外縁に沿った回転方向Ｙ１の反時計回りにレバースイッチ３を動かすと、方向検出部４により回転方向Ｙ１反時計回りの操作が検出される。この回転方向Ｙ１反時計回りの操作が検出されると、制御部６は、図７に示すように、表示部５に表示されているメニュー画像Ａを回転方向Ｙ１反時計回りに動かして表示部５から消すと共に、新しいメニュー画像Ｂ（図示せず）を回転方向Ｙ１反時計回りに動かして表示部５上に出現させることにより、メニュー画像Ａからメニュー画像Ｂに切り替える。
【００２４】
また、表示部５にメニュー画像Ｂが表示された状態で、運転者がステアリング７の外縁に沿って回転方向Ｙ１時計回りにレバースイッチ３を操作し、これが方向検出部４により検出されると、制御部６は、表示部５に表示されているメニュー画像Ｂを回転方向Ｙ１時計回りに動かして表示部５から消すと共に、新しいメニュー画像Ａを回転方向Ｙ１の時計回りに動かして表示部５上に出現させることにより、メニュー画像Ｂからメニュー画像Ａに切り替える。
【００２５】
また、方向検出部４の検出方向が軸周り方向Ｙ２（ノブ３２Ａの回転方向）であれば（ステップＳ４でＹ）、制御部６は、表示部５に表示されている画像を上下方向に沿って移動させた後（ステップＳ５）、ステップＳ１に戻る。
【００２６】
このステップＳ５での制御部６の動作の一例について、図９を参照して説明する。同図に示すように、例えば表示部５にメニュー画像Ａが表示されていたとする。このとき、運転者がレバースイッチ３のノブ３２Ａを軸周り方向Ｙ２の下から上に向かって操作すると、方向検出部４により軸周り方向Ｙ２の下から上に向かう操作が検出される。この軸周り方向Ｙ２の下から上に向かう操作が検出されると、制御部６は、図９に示すように、表示部５に表示されているメニュー画像Ａを上方向に動かして表示部５から消すと共に、新しいメニュー画像Ｂを上方向に動かして表示部５上に出現させることにより、メニュー画像Ａからメニュー画像Ｂに切り替える。
【００２７】
また、表示部５にメニュー画像Ｂが表示された状態で、運転者がレバースイッチ３の軸周り方向Ｙ２の上から下に向かってレバースイッチ３のノブ３２Ａを操作し、これが方向検出部４により検出されると、制御部６は、表示部５に表示されているメニュー画像Ｂを下方向に動かして表示部５から消すと共に、新しいメニュー画像Ａを下方向に動かして表示部５上に出現させることにより、メニュー画像Ｂからメニュー画像Ａに切り替える。
【００２８】
また、方向検出部４の検出方向が軸方向Ｙ３（ボタン３２Ｂの操作方向）であれば（ステップＳ６でＹ）、制御部６は、表示部５に表示されている画像を左右方向に沿って移動させた後（ステップＳ７）、ステップＳ１に戻る。
【００２９】
このステップＳ７での制御部６の動作の一例について、図８を参照して説明する。同図に示すように、例えば表示部５にメータ画像Ｃが表示されていたとする。このとき、運転者がステアリングコラム２の右側面から突出されたレバースイッチ３のボタン３２Ｂを軸方向Ｙ３の右から左に向かって押すと、方向検出部４により軸方向Ｙ３の右から左に向かう操作が検出される。この軸方向Ｙ３の右から左に向かう操作が検出されると、制御部６は、図８に示すように、表示部５に表示されているＷＡＳＨ画像Ｃを左方向に動かして表示部５から消すと共に、新しい画像Ｄを左方向に動かして表示部５上に出現させることにより、ＷＡＳＨ画像Ｃから画像Ｄに切り替える。
【００３０】
また、表示部５に画像Ｄが表示された状態で、運転者がステアリングコラム２の左側面から突出されたレバースイッチ３のボタン３２Ｂを軸方向Ｙ３の左から右に向かって押すと、方向検出部４により軸方向Ｙ３の左から右に向かう操作が検出される。この軸方向Ｙ３の左から右に向かう操作が検出されると、制御部６は、表示部５に表示されている画像Ｄを右方向に動かして表示部５から消すと共に、新しいＷＡＳＨ画像Ｃを右方向に動かして表示部５上に出現させることにより、画像ＤからＷＡＳＨ画像Ｃに切り替える。
【００３１】
また、方向検出部４の検出方向が前後方向Ｙ４であれば（ステップＳ８でＹ）、制御部６は、表示部５に表示されている画像を前後方向Ｙ４に沿って移動させ、即ち拡大／縮小させた後（ステップ９）、ステップＳ１に戻る。
【００３２】
このステップＳ９での制御部６の動作の一例について、図１０を参照して説明する。同図に示すように、例えば表示部５に複数のメニュー画像Ａ〜Ｃが表示され、その中央にメニュー画像Ｂが位置しているとする。このとき、運転者が前後方向Ｙ４の後ろから前に向かってレバースイッチ３を操作すると、方向検出部４により前後方向Ｙ４の後ろから前に向かう操作が検出される。この前後方向Ｙ４の後ろから前に向かう操作が検出されると、制御部６は、図１０に示すように、表示部５の中央に位置するメニュー画像Ｂを前後方向Ｙ４の後ろから前に移動させて拡大表示すると共に、メニュー画像Ａ及びＣを表示部５から消す。
【００３３】
また、表示部５にメニュー画像Ｂが拡大表示された状態で、運転者が前後方向Ｙ４の前から後ろに向かってレバースイッチ３を操作すると、これが方向検出部４により検出されると、制御部６は、図１０に示すように、表示部５に表示されているメニュー画像Ｂを前後方向Ｙ４の前から後ろに移動させて縮小表示するとともに、メニュー画像Ａ及びＣを表示部５に出現させる。
【００３４】
制御部６は、方向検出部４の検出方向が、回転方向Ｙ１でも軸周り方向Ｙ２でも軸方向Ｙ３でも前後方向Ｙ４でもなければ（ステップＳ８でＮ）、再びステップＳ１に戻る。
【００３５】
上述した実施形態によれば、制御部６が、方向検出部４により検出されたレバースイッチ３の操作方向に応じて感覚的に同じ方向に表示部５に表示されている画像を移動させるので、ステアリング７上に手をおいたまま手や指を動かす動作であっても、操作した感覚（動作）とフィードバック（画像の移動）との一体感を生み出し、操作の満足感を得ることができる。
【００３６】
また、上述した実施形態によれば、制御部６が、方向検出部４によりレバースイッチ３の操作を検出すると、表示部５に表示されている画像を方向検出部４による検出方向と同じ方向に動かして表示部５から消すと共に、新しい画像を検出方向と同じ方向に動かして表示部５上に出現させて、画像を切り替える。これにより、より一層、操作した感覚（動作）とフィードバック（画像の移動）との一体感を生み出し、操作の満足感を得ることができる。
【００３７】
また、上述した実施形態によれば、制御部６が、ステアリング７の外縁に沿った回転方向Ｙ１のレバースイッチ３の操作を検出すると、表示部５に表示されている画像のその回転方向Ｙ１に沿って移動させる。さらに、制御部６が、レバースイッチ３の軸方向Ｙ３に沿った操作を検出すると、表示部５に表示されている画像を左右方向に沿って移動させるので、より一層操作の満足感を得ることができる。
【００３８】
なお、上述した実施形態では、方向検出部４がレバースイッチ３の操作方向を検出方向として検出していたが、本発明はこれに限ったものではない。例えば、方向検出部４として、レバースイッチ３に設けたカメラや静電センサなどを用いて、レバースイッチ３周りでの指や手の動き方向を検出方向として検出してもよい。
【００３９】
即ち、方向検出部４は、ステアリング７の外縁に沿った回転方向Ｙ１、レバースイッチ３の軸周り方向Ｙ４、レバースイッチ３の軸方向Ｙ３（即ち、レバースイッチ３の先端に近づく方向と離れる方向の動き）、前後方向Ｙ４の動きを識別可能に検出する。これらの動きは、上述したようにレバースイッチ３の操作とほぼ同じ操作であり、違和感なく動作を行うことができ、上述した実施形態と動揺により一層、操作の満足感を得ることができる。
【００４０】
なお、上述した実施形態では、方向検出部４が、ステアリング７の外縁に沿った回転方向Ｙ１、レバースイッチ３の軸周り方向Ｙ２、レバースイッチ３の軸方向Ｙ３及び前後方向Ｙ４の操作を検出していたが、本発明はこれに限ったものではない。これらの方向の１つ以上が検出できるようにしてもよいし、他の方向を検出できるようにしてもよい。
【００４１】
また、上述した実施形態では、メニュー画像などを切り替えたりしていたが、本発明はこれに限ったものではない。他の画像に切り替えるようにしてもよい。
【００４２】
また、上述した実施形態では、レバースイッチ３の操作や指又は手を動かすことにより、表示部５に表示される画像を切り替えていたが、本発明はこれに限ったものではない。例えば、方向検出部４の検出方向に表示部５に表示されている画像をスクロールさせるようにしてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
１  表示制御装置
２  ステアリングコラム
３  レバースイッチ
４  方向検出部（方向検出手段）
５  表示部（表示手段）
６  制御部（表示制御手段）
７  ステアリング
Ｙ１  回転方向
Ｙ２  軸周り方向
Ｙ３  軸方向
Ｙ４  前後方向
【図１】
2014144735.tif 000003
【図２】
2014144735.tif 000004
【図３】
2014144735.tif 000005
【図４】
2014144735.tif 000006
【図５】
2014144735.tif 000007
【図６】
2014144735.tif 000008
【図７】
2014144735.tif 000009
【図８】
2014144735.tif 000010
【図９】
2014144735.tif 000011
【図１０】
2014144735.tif 000012